(57)【要約】【課題】  身生地によって形成された開口部の縁取り作業を容易にすることによりコストの低減を図り、また、開口部の形状の自由度を高め、更には、開口部の膨らみを無くすことにより、着用感とファッション性を向上させることができるようにした衣類を得る。【解決手段】  身生地２によって形成された開口部３に縁取り４を備える衣類１であって、縁取り４を、開口部３の端部周囲にフラットシーマ縫製の縫着部５を施した構造とした。【選択図】    図１
2014051761.tif 000002
【特許請求の範囲】
【請求項１】
身生地によって形成された開口部に縁取りを備える衣類であって、前記縁取りは前記開口部の端部周囲にフラットシーマ縫製の縫着部を施した構造となっていることを特徴とする衣類。
【請求項２】
前記フラットシーマ縫製の縫着部は、複数列の並走状態に施されていることを特徴とする請求項１に記載の衣類。
【発明の詳細な説明】
【技術分野】
【０００１】
本発明は、身生地によって形成された開口部に縁取りを備える衣類に関する。
【背景技術】
【０００２】
Ｔシャツ、ランニングシャツ、その他各種のシャツや下着などの衣類に、ニットなど伸縮性のある生地を使用しているものが多い。このような生地を使用した衣類は首周りや袖口などの開口部が弱く、伸び易くまた解れ易いといったことから、衣類の開口部に補強のための縁取りを備えるといったことが行われている。
【０００３】
従来、身生地によって形成された開口部に縁取りを備えた衣類として、開口部の端部の表裏を、別途用意された二つ折りしたラップ部で挟み込むようにして包み、生地端部とラップ部を縫着して縁取りとした衣類が知られている（例えば、特許文献１）。
【先行技術文献】
【特許文献】
【０００４】
【特許文献１】特開２００３−１１３５１２号公報
【発明の概要】
【発明が解決しようとする課題】
【０００５】
上記衣類の身生地によって形成された開口部に備えた縁取りは、開口部の補強にはなるものの、別途ラップ部となる生地が必要であり、また、開口部の端部の表裏をラップ部で挟み込むようにして包み、生地端部とラップ部を縫着するといった面倒な作業を要するのでコストがかかるといった問題があった。
また、このようなラップ部による縁取りは、複雑な形状の開口部に対応することが困難であり、そのため開口部の形状も単純な形状にならざるを得ないといった問題があった。
さらには、開口部を縁取るラップ部が厚く、開口部の膨らみが肌へ干渉して不快感を与える場合があり、また、衣類がインナーである場合、開口部の膨らみがアウターのシルエットに悪影響を及ぼす場合があるといった問題があった。
【０００６】
本発明の目的は、身生地によって形成された開口部の縁取り作業を容易にすることによりコストの低減を図り、また、開口部の形状の自由度を高め、更には、開口部の膨らみを無くすことにより、着用感とファッション性を向上させることができるようにした衣類を提供することにある。
【課題を解決するための手段】
【０００７】
上記の目的を達成するために、請求項１に記載の発明は、身生地によって形成された開口部に縁取りを備える衣類であって、前記縁取りは前記開口部の端部周囲にフラットシーマ縫製の縫着部を施した構造となっていることを特徴とする。
【０００８】
請求項２に記載の発明は、請求項１に記載の、前記フラットシーマ縫製の縫着部は、複数列の並走状態に施されていることを特徴とする。
【発明の効果】
【０００９】
請求項１に記載の衣類によれば、身生地によって形成された開口部に備えた縁取りは、開口部の端部周囲にフラットシーマ縫製の縫着部を施した構造となっているので、縫着部のしっかりとした縫い目が開口部を補強し、耐久性に優れたものとなり、開口部の伸びや解れを効果的に抑えることができる。また、縫い目が扁平なので開口部の膨らみが無く、着用感とファッション性を向上させることができる。
また、従来のラップ部による縁取りを施した開口部に比べ、別途ラップ部となる生地を用意する必要が無く、また縁取り作業が容易なのでコストの低減を図ることができ、また、開口部の形状の自由度が高く、多様な形状の開口部に対応することができる
【００１０】
請求項２に記載の発明は、請求項１に記載の、前記フラットシーマ縫製の縫着部が複数列の並走状態に施されているので、開口部の補強が増し、耐久性に一層優れたものとなり、開口部の伸びや解れを一層効果的に抑えることができる。
【図面の簡単な説明】
【００１１】
【図１】本発明に係る衣類の実施の形態の一例を示す正面図である。
【図２】（Ａ）、（Ｂ）、（Ｃ）、（Ｄ）、（Ｅ）は本発明が実施される衣類の首周りの開口部の形状例を示す説明図である。
【発明を実施するための形態】
【００１２】
以下、本発明に係る衣類の実施の形態を、図面に示す実施例を参照して詳細に説明する。
図１は本発明に係る衣類の実施の形態の一例を示す正面図、図２（Ａ）、（Ｂ）、（Ｃ）、（Ｄ）、（Ｅ）は本発明が実施される衣類の首周りの開口部の形状例を示す説明図である。
【００１３】
本発明に係る衣類１は、身生地２によって形成された開口部３に縁取り４を備えている。縁取り４は、開口部３の端部周囲にフラットシーマ縫製による縫着部５を施した構造となっている。フラットシーマ縫製とは、４本針を使用し、針糸４本、下糸１本、上飾り糸１本の６本の糸で縫い目が構成され、縫い代が扁平となる縫製技術であり、生地を縫い合わせる縫製技術として知られており、フラットシーマミシンにより縫製される。
【００１４】
図１に示す本例の衣類１はＴシャツであり、衣類１の首周り１ａ、袖口１ｂ、裾周り１ｃのそれぞれの開口部３の端部周囲に、縁取り４としてフラットシーマ縫製の縫着部５が施されている。開口部３の端部周囲に施された縫着部５は、１列或いは複数列の並走状態に備えてもよい。本例では、開口部３の端部周囲に２列の縫着部５が備えられている。
また、本例では、衣類１の胴部に、インナーが透視できる装飾窓部６となる開口部３が設けられており、この開口部３の端部周囲にも縫着部５が備えられている。
なお、本例では、衣類１はＴシャツとなっているが、本発明が実施される衣類１は、Ｔシャツに限られるものではなく、ランニングシャツ、その他各種のシャツや下着などに実施される。
【００１５】
以上のように、本発明に係る衣類１によれば、身生地２によって形成された開口部３に備えた縁取り４は、開口部３の端部周囲にフラットシーマ縫製の縫着部５を施した構造となっているので、縫着部５のしっかりとした縫い目が開口部３を補強し、耐久性に優れたものとなり、開口部３の伸びや解れを効果的に抑えることができる。本例では、開口部３の端部周囲に２列の縫着部５が備えられているので、開口部３の補強が増し、耐久性に一層優れたものとなり、開口部３の伸びや解れを一層効果的に抑えることができる。
【００１６】
また、フラットシーマ縫製の縫着部５は、縫い目が扁平なので開口部３に従来のラップ部による縁取りのような膨らみが無く、縫着部５の肌への干渉によるストレスが軽減し良好な着用感が得られる。また、衣類１がインナーである場合、開口部３がアウターのシルエットに悪影響を及ぼすといったことはなく、ファッション性を害するものとはならない。
【００１７】
また、従来のラップ部による縁取りを施した開口部に比べ、別途ラップ部となる生地を用意する必要が無く、また縁取り作業が容易なのでコストの低減を図ることができる。
また、開口部３の形状の自由度が高く、例えば、図２（Ａ）、（Ｂ）、（Ｃ）、（Ｄ）、（Ｅ）に示す衣類１の首周り１ａの開口部３の形状例のように、多様な形状の開口部に対応することができ、衣類１のデザインを広げることができ、ファッション性に優れた衣類１を得ることができる。
【００１８】
また、本例では、衣類１の胴部に、インナーが透視できる装飾窓部６となる開口部３が設けられているが、装飾窓部６となる開口部３にあっては、衣類１の胴部に開口部３を設け、この後、開口部３の端部周囲に縁取り４としての縫着部５を施すといった縁取り作業の他、衣類１の胴部に、予定される開口部の形状に合わせてその周囲に縫着部５を施し、その後、縫着部５の内周側を切除して装飾窓部６となる開口部３を空けるようにして、端部周囲に縁取り４を備えた開口部３を設けるといった作業も可能となる。
【符号の説明】
【００１９】
１  衣類
１ａ  首周り
１ｂ  袖口
１ｃ  裾周り
２  身生地
３  開口部
４  縁取り
５  縫着部
６  装飾窓部
【図１】
2014051761.tif 000003
【図２】
2014051761.tif 000004